(57)【要約】【課題】住所等を入力することなく、住所等に対応する郵便番号を認識することを可能とするマップサーバ等を提供する。【解決手段】ディスプレイ６を備えたパソコン１００に接続されたマップサーバ２００において、ディスプレイ６に表示させるＷｅｂページのページデータと、郵便番号に対応付けられた地理的位置を有するオブジェクトをその地理的位置に対応するウェブページ内の位置に表示することによりマップを形成するためのオブジェクトデータと、を生成してパソコン１００に出力し、表示されているオブジェクトをパソコン１００において選択した選択データを取得し、その選択データに基づいてオブジェクトの選択状態を判定し、その選択状態に基づいて、オブジェクトに関連する郵便番号を表示する。【選択図】図１
2011180709.tif 000002
【特許請求の範囲】
【請求項１】
郵便番号と、当該郵便番号に応じた地理的位置を示す地理的情報とを取得し、記憶する記憶手段と、
前記郵便番号と、前記地理的位置とを有するオブジェクトを生成し、当該オブジェクトを用いて、Ｗｅｂページに表示する所定の図形を生成する生成手段と、
前記表示されているオブジェクトの活性状態を判定する判定手段と、
前記判定手段の判定結果に基づき、前記郵便番号を表示する表示手段と、
を備えること特徴とする制御装置。
【請求項２】
前記判定手段は、前記図形が表示されたタイミングから予め設定された所定時間が経過する間における前記活性状態を判定し、
前記表示手段は、前記タイミングから前記所定時間が経過する間に前記オブジェクトのいずれもが活性していないことが前記活性状態として前記判定手段により判定されたとき、前記記憶されている地理的情報に含まれる前記地理的位置に対応する住所を表示することを特徴とする請求項１に記載の制御装置。
【請求項３】
前記判定手段は、前記図形が表示されたタイミングから予め設定された所定時間が経過する間における前記オブジェクトの前記活性状態を判定し、
前記表示手段は、前記タイミングから前記所定時間が経過する間に前記オブジェクトのいずれもが活性していないことが前記活性状態として前記判定手段により判定されたとき、全国の前記郵便番号を表示することを特徴とする請求項１に記載の制御装置。
【請求項４】
活性している前記オブジェクトの数が予め設定された所定数以下であること、または同一の前記オブジェクトが予め設定された所定時間以上活性していること、のいずれか一方が前記活性状態として前記判定手段により判定されたとき、前記表示手段は、前記活性しているオブジェクトが有する前記郵便番号を表示することを特徴とする請求項１に記載の制御装置。
【請求項５】
前記表示手段は、前記活性しているオブジェクトが有する前記地理的位置が含まれる前記図形の領域を拡大表示することを特徴とする請求項４に記載の制御装置。
【請求項６】
相互に混同し易いとして予め設定された複数の行政区分の組合せを記憶する組合せ記憶手段を更に備え、
前記判定手段は、前記組合せに含まれているいずれかの前記行政区分内の前記地理的位置を有する前記オブジェクトが活性しているか否かを判定し、
前記表示手段は、前記組合せに含まれているいずれかの前記行政区分内の前記地理的位置を有する前記オブジェクトが活性しているとき、当該地理的位置が含まれている前記行政区分が含まれている前記組合せに含まれている他の前記行政区分に対応する前記郵便番号および住所を表示することを特徴とする請求項１に記載の制御装置。
【請求項７】
前記判定手段は、前記表示されているオブジェクトの活性化に用いられる活性化指標の当該活性化における移動方向を検出する移動方向検出手段を更に備え、
前記活性しているオブジェクトの数が予め設定された所定数より多いこと、または同一の前記オブジェクトが活性している時間が予め設定された所定時間未満であること、のいずれか一方が前記活性状態として前記判定手段により判定されたとき、前記表示手段は、前記活性しているオブジェクトから見て前記移動方向に表示されている他の前記オブジェクトが有する前記郵便番号を前記表示することを特徴とする請求項１に記載の制御装置。
【請求項８】
前記判定手段は、前記表示されているオブジェクトの活性化に用いられる活性化指標の当該活性化における移動方向を検出する移動方向検出手段を更に備え、
前記活性しているオブジェクトの数が予め設定された所定数より多いこと、または同一の前記オブジェクトが活性している時間が予め設定された所定時間未満であること、のいずれか一方が前記活性状態として前記判定手段により判定されたとき、前記表示手段は、前記活性しているオブジェクトから見て前記移動方向には含まれない方向に表示されている他の前記オブジェクトが有する前記郵便番号を表示することを特徴とする請求項１に記載の制御装置。
【請求項９】
前記表示手段は、前記郵便番号に対応付けられた配達料金を示す料金情報を取得する料金情報取得手段を備え、
前記表示手段は、前記取得された料金情報に基づいて、前記郵便番号と、当該郵便番号に対応する前記配達料金と、を表示することを特徴とする請求項１から８のいずれか一項に記載の制御装置。
【請求項１０】
コンピュータに、
郵便番号と、当該郵便番号に応じた地理的位置を示す地理的情報とを取得し、記憶するステップと、
前記郵便番号と、前記地理的位置とを有するオブジェクトを生成し、当該オブジェクトを用いて、Ｗｅｂページに表示する所定の図形を生成するステップと、
前記表示されているオブジェクトの活性状態を判定するステップと、
前記判定手段の判定結果に基づき、前記郵便番号を表示するステップと、
を実行させることを特徴とする制御用プログラム。
【請求項１１】
端末装置と、前記端末装置に接続された制御装置と、を含む制御システムにおいて、
前記制御装置は、
郵便番号と、当該郵便番号に応じた地理的位置を示す地理的情報とを取得し、記憶する記憶手段と、
前記郵便番号と、前記地理的位置とを有するオブジェクトを生成し、当該オブジェクトを用いて、前記端末装置においてＷｅｂページに表示する所定の図形を生成する生成手段と、
前記表示されているオブジェクトの選択状態を示す選択情報を前記端末装置から取得する取得手段と、
前記取得した選択情報に基づき、前記選択状態を判定する判定手段と、
前記判定手段の判定結果に基づき、前記端末装置に前記郵便番号を表示する表示手段と、
を備え、
前記端末装置は、
前記表示されているオブジェクトを選択するために用いられる選択手段と、
前記選択手段による前記選択状態を示す前記選択情報を生成して前記制御装置に出力する選択情報出力手段と、
を備えることを特徴とする制御システム。
【発明の詳細な説明】
【技術分野】
【０００１】
本発明は、制御装置、制御システムおよび制御用プログラムの技術分野に属する。より詳細には、パーソナルコンピュータ等の端末装置上における表示を制御する制御装置および制御システムならびに当該制御装置用のプログラムの技術分野に属する。
【背景技術】
【０００２】
一般に、住所や電話番号を記載したメモ等が手元にあり、その住所や電話番号に対応する郵便番号をインターネット等において検索しようとする場合、その住所や電話番号を入力して検索する。
【０００３】
また、地図上の目的地を入力する際に、電話番号、電話番号の市外局番部分または郵便番号のいずれかをキーボート等で入力して、電話番号と電話番号に対応する位置座標、市外局番と市外局番に対応する位置座標または地図領域を検索して表示することも広く知られている（例えば、特許文献１）。
【先行技術文献】
【特許文献】
【０００４】
【特許文献１】特開平５−０１９６８４号公報
【発明の概要】
【発明が解決しようとする課題】
【０００５】
しかしながら、上述した検索／入力では、パソコン等の情報機器の操作が苦手な人や不慣れな人を含めて一律に住所や電話番号等の入力操作が求められている。このとき、例えばキーボード等の操作が不慣れな高齢者には、住所や電話番号等の入力操作が過大な負担となる場合がある。
【０００６】
そこで、本発明は上記の問題点に鑑みて為されたもので、その課題の一例は、住所等を入力することなく、当該住所等に対応する郵便番号を認識することを可能とする制御装置および制御システム並びに当該制御装置用のプログラムを提供することにある。
【課題を解決するための手段】
【０００７】
上記の課題を解決するために、請求項１に記載の発明は、郵便番号と、当該郵便番号に応じた地理的位置を示す地理的情報とを取得し、記憶する記憶部等の記憶手段と、前記郵便番号と、前記地理的位置とを有するオブジェクトを生成し、当該オブジェクトを用いて、Ｗｅｂページに表示する所定の図形を生成する処理部等の生成手段と、前記表示されているオブジェクトの活性状態を判定する処理部等の判定手段と、前記判定手段の判定結果に基づき、前記郵便番号を表示する処理部等の表示手段と、を備える。
【０００８】
請求項１に記載の発明によれば、表示されているオブジェクトの活性状態を判定し、その活性状態の判定結果に基づいてオブジェクトの郵便番号を表示するので、オブジェクトの活性状態を判断するだけでそのオブジェクトに対応付けられた郵便番号を表示することができる。
【０００９】
上記の課題を解決するために、請求項２に記載の発明は、請求項１に記載の制御装置において、前記判定手段は、前記図形が表示されたタイミングから予め設定された所定時間が経過する間における前記活性状態を判定し、前記表示手段は、前記タイミングから前記所定時間が経過する間に前記オブジェクトのいずれもが活性していないことが前記活性状態として前記判定手段により判定されたとき、前記記憶されている地理的情報に含まれる前記地理的位置に対応する住所を表示するように構成される。
【００１０】
請求項２に記載の発明によれば、請求項１に記載の発明の作用に加えて、図形が表示されたタイミングから所定時間が経過する間にオブジェクトのいずれもが活性されていないとき、地理的情報に含まれる地理的位置に対応する住所を表示するので、オブジェクトが活性されていないときでも、関連すると推測される住所を表示することができる。
【００１１】
上記の課題を解決するために、請求項３に記載の発明は、請求項１に記載の制御装置において、前記判定手段は、前記図形が表示されたタイミングから予め設定された所定時間が経過する間における前記オブジェクトの前記活性状態を判定し、前記表示手段は、前記タイミングから前記所定時間が経過する間に前記オブジェクトのいずれもが活性していないことが前記活性状態として前記判定手段により判定されたとき、全国の前記郵便番号を表示するように構成される。
【００１２】
請求項３に記載の発明によれば、請求項１に記載の発明の作用に加えて、図形が表示されたタイミングから所定時間が経過する間にオブジェクトのいずれもが活性されていないとき全国の郵便番号を表示するので、オブジェクトが活性されていないときでも、関連すると推測される郵便番号を表示することができる。
【００１３】
上記の課題を解決するために、請求項４に記載の発明は、請求項１に記載の制御装置において、活性している前記オブジェクトの数が予め設定された所定数以下であること、または同一の前記オブジェクトが予め設定された所定時間以上活性していること、のいずれか一方が前記活性状態として前記判定手段により判定されたとき、前記表示手段は、前記活性しているオブジェクトが有する前記郵便番号を表示するように構成される。
【００１４】
請求項４に記載の発明によれば、請求項１に記載の発明の作用に加えて、活性しているオブジェクトの数が所定数以下であること、または同一のオブジェクトが所定時間以上活性していること、のいずれか一方が判定されたとき、活性しているオブジェクトが有する郵便番号を表示するので、郵便番号と地理的位置との関係がよく理解されていると推測される場合に、その郵便番号を的確に表示することができる。
【００１５】
上記の課題を解決するために、請求項５に記載の発明は、請求項４に記載の制御装置において、前記表示手段は、前記活性しているオブジェクトが有する前記地理的位置が含まれる前記図形の領域を拡大表示するように構成される。
【００１６】
請求項５に記載の発明によれば、請求項４に記載の発明の作用に加えて、活性しているオブジェクトの数が所定数以下であること、または同一のオブジェクトが所定時間以上活性していること、のいずれか一方が判定されたとき、活性しているオブジェクトが有する地理的位置が含まれる図形の領域を拡大表示するので、より詳細な郵便番号を的確に表示することができる。
【００１７】
上記の課題を解決するために、請求項６に記載の発明は、請求項１に記載の制御装置において、相互に混同し易いとして予め設定された複数の行政区分の組合せを記憶する記憶部等の組合せ記憶手段を更に備え、前記判定手段は、前記組合せに含まれているいずれかの前記行政区分内の前記地理的位置を有する前記オブジェクトが活性しているか否かを判定し、前記表示手段は、前記組合せに含まれているいずれかの前記行政区分内の前記地理的位置を有する前記オブジェクトが活性しているとき、当該地理的位置が含まれている前記行政区分が含まれている前記組合せに含まれている他の前記行政区分に対応する前記郵便番号および住所を表示するように構成される。
【００１８】
請求項６に記載の発明によれば、請求項１に記載の発明の作用に加えて、相互に混同し易い複数の行政区分の組合せを記憶し、その組合せに含まれているいずれかの行政区分内の地理的位置を有するオブジェクトが活性しているとき、当該活性しているオブジェクトに対応する行政区分が含まれている組合せに含まれている他の行政区分に対応する郵便番号および住所を表示するので、他の行政区分と間違い易い行政区分であっても迅速且つ的確に郵便番号を表示することができる。
【００１９】
上記の課題を解決するために、請求項７に記載の発明は、請求項１に記載の制御装置において、前記判定手段は、前記表示されているオブジェクトの活性化に用いられる活性化指標の当該活性化における移動方向を検出する処理部等の移動方向検出手段を更に備え、前記活性しているオブジェクトの数が予め設定された所定数より多いこと、または同一の前記オブジェクトが活性している時間が予め設定された所定時間未満であること、のいずれか一方が前記活性状態として前記判定手段により判定されたとき、前記表示手段は、前記活性しているオブジェクトから見て前記移動方向に表示されている他の前記オブジェクトが有する前記郵便番号を前記表示するように構成される。
【００２０】
請求項７に記載の発明によれば、請求項１に記載の発明の作用に加えて、活性しているオブジェクトの数が所定数より多いこと、または同一のオブジェクトが活性している時間が所定時間未満であること、のいずれか一方が判定されたとき、活性しているオブジェクトから見て活性化指標の移動方向に表示されている他のオブジェクトが有する郵便番号を表示するので、オブジェクトの活性化の態様に応じて郵便番号を的確に表示することができる。
【００２１】
上記の課題を解決するために、請求項８に記載の発明は、請求項１に記載の制御装置において、前記判定手段は、前記表示されているオブジェクトの活性化に用いられる活性化指標の当該活性化における移動方向を検出する処理部等の移動方向検出手段を更に備え、前記活性しているオブジェクトの数が予め設定された所定数より多いこと、または同一の前記オブジェクトが活性している時間が予め設定された所定時間未満であること、のいずれか一方が前記活性状態として前記判定手段により判定されたとき、前記表示手段は、前記活性しているオブジェクトから見て前記移動方向には含まれない方向に表示されている他の前記オブジェクトが有する前記郵便番号を表示するように構成される。
【００２２】
請求項８に記載の発明によれば、請求項１に記載の発明の作用に加えて、活性しているオブジェクトの数が所定数より多いこと、または同一のオブジェクトが活性している時間が所定時間未満であること、のいずれか一方が判定されたとき、活性しているオブジェクトから見て活性化指標の移動方向には含まれない方向に表示されている他のオブジェクトが有する郵便番号を表示するので、オブジェクトの活性化の態様に応じて郵便番号を的確に認識させることができる。
【００２３】
上記の課題を解決するために、請求項９に記載の発明は、請求項１から８のいずれか一項に記載の制御装置において、前記表示手段は、前記郵便番号に対応付けられた配達料金を示す料金情報を取得する処理部等の料金情報取得手段を備え、前記表示手段は、前記取得された料金情報に基づいて、前記郵便番号と、当該郵便番号に対応する前記配達料金と、を表示するように構成される。
【００２４】
請求項９に記載の発明によれば、請求項１から８のいずれか一項に記載発明の作用に加えて、郵便番号と共にそれに対応する配達料金を表示するので、郵便番号活用における利便性を更に向上させることができる。
【００２５】
上記の課題を解決するために、請求項１０に記載の発明は、コンピュータに、郵便番号と、当該郵便番号に応じた地理的位置を示す地理的情報とを取得し、記憶するステップと、前記郵便番号と、前記地理的位置とを有するオブジェクトを生成し、当該オブジェクトを用いて、Ｗｅｂページに表示する所定の図形を生成するステップと、前記表示されているオブジェクトの活性状態を判定するステップと、前記判定手段の判定結果に基づき、前記郵便番号を表示するステップと、を実行させる。
【００２６】
請求項１０に記載の発明によれば、当該表示制御用プログラムをコンピュータにより読み出して実行することにより、表示されているオブジェクトの活性状態を判定し、その活性状態の判定結果に基づいてオブジェクトの郵便番号を表示するように当該コンピュータが機能するので、オブジェクトの活性状態を判断するだけでそのオブジェクトに対応付けられた郵便番号を表示することができる。
【００２７】
上記の課題を解決するために、請求項１１に記載の発明は、パソコン等の端末装置と、前記端末装置に接続されたマップサーバ等の制御装置と、を含む制御システムにおいて、前記制御装置は、郵便番号と、当該郵便番号に応じた地理的位置を示す地理的情報とを取得し、記憶する記憶部等の記憶手段と、前記郵便番号と、前記地理的位置とを有するオブジェクトを生成し、当該オブジェクトを用いて、前記端末装置においてＷｅｂページに表示する所定の図形を生成する処理部等の生成手段と、前記表示されているオブジェクトの選択状態を示す選択情報を前記端末装置から取得する処理部等の取得手段と、前記取得した選択情報に基づき、前記選択状態を判定する処理部等の判定手段と、前記判定手段の判定結果に基づき、前記端末装置に前記郵便番号を表示する処理部等の表示手段と、を備え、前記端末装置は、前記表示されているオブジェクトを選択するために用いられる操作部等の選択手段と、前記選択手段による前記選択状態を示す前記選択情報を生成して前記制御装置に出力する処理部等の選択情報出力手段と、を備える。
【００２８】
請求項１１に記載の発明によれば、表示されているオブジェクトの選択状態を判定し、その選択状態の判定結果に基づいてオブジェクトの郵便番号を表示するので、オブジェクトを選択するだけでそのオブジェクトに対応付けられた郵便番号を表示させることができる。
【発明の効果】
【００２９】
本発明によれば、ユーザの情報リテラシーの程度に関係なく、キーボードを使用して住所等を入力することなく、郵便番号の検索や認識を行うことができる。
【図面の簡単な説明】
【００３０】
【図１】実施形態に係る情報表示システムの概要構成を示すブロック図等であり、（ａ）は当該概要構成を示すブロック図であり、（ｂ）は実施形態に係るパソコンの細部構成を示すブロック図であり、（ｃ）は実施形態に係るマップサーバの細部構成を示すブロック図である。
【図２】実施形態に係る各データベースの構成を例示する図であり、（ａ）は郵便番号データベースの内容を例示する図であり、（ｂ）はユーザデータベースの内容を例示する図であり、（ｃ）は組合せデータベースの内容を例示する図である。
【図３】実施形態に係る表示動作を示すフローチャートである。
【図４】実施形態に係る表示動作中にパソコンにおいて表示される画面例を示す図（Ｉ）であり、（ａ）はマップの表示例を示す図であり、（ｂ）は郵便番号等の表示例を示す図である。
【図５】実施形態に係る表示動作中にパソコンにおいて表示される画面例を示す図（II）であり、（ａ）はオブジェクトの選択におけるポインタの移動例を示す図であり、（ｂ）は対応する郵便番号の表示領域を例示する図である。
【発明を実施するための形態】
【００３１】
次に、本発明を実施するための形態について、図面に基づいて説明する。なお、以下に説明する実施形態および変形形態は、ユーザに操作されるパーソナルコンピュータを用いて、ユーザの手元にある住所に対応する郵便番号を検索して表示する情報表示システムに対して本発明を適用した場合の実施形態等である。なお以下の説明では、上記パーソナルコンピュータを、単に「パソコン」と称する。
【００３２】
（Ｉ）実施形態
まず、本発明に係る実施形態について、図１から図５を用いて説明する。なお、図１は実施形態に係る情報表示システムの概要構成を示すブロック図等であり、図２は実施形態に係る各データベースの構成を例示する図である。また図３は実施形態に係る表示動作を示すフローチャートであり、図４は実施形態に係る表示動作中にパソコンにおいて表示される画面例を示す図（Ｉ）である。更に図５は実施形態に係る表示動作中にパソコンにおいて表示される画面例を示す図（II）である。
【００３３】
図１（ａ）に示すように、実施形態に係る情報表示システムＳは、端末装置の一例としての一または複数のパソコン１００と、制御装置の一例としてのマップサーバ２００と、郵便番号サーバ３００と、ユーザデータサーバ４００と、インターネット等を示すネットワークＮＴとを有する。
【００３４】
パソコン１００は、図１（ｂ）に示すように、インターフェース１と、ＲＡＭ（Random Access Memory）２と、ＲＯＭ（Read Only Memory）３と、ＣＰＵ（Central Processing Unit）等からなる選択情報出力手段の一例としての処理部４と、キーボード及びマウス等からなる選択手段の一例としての操作部５と、液晶ディスプレイ等からなるディスプレイ６と、により構成されている。
【００３５】
この構成においてインターフェース１は、ネットワークＮＴを介したマップサーバ２００との間のデータの授受を制御する。
【００３６】
ＲＯＭ３には、後述する実施形態に係るマップサーバ２００における表示動作に対応する動作を処理部４に実行させるためのプログラムや必要なデータ等が不揮発性に記憶されている。
【００３７】
そして処理部４は、操作部５において実行された操作と、マップサーバ２００から送信されてくる後述のページデータ等と、に基づき、ＲＯＭ３に記憶されている上記プログラム等を読み出して実行することにより、実施形態に係る動作を実行する。
【００３８】
特に処理部４は、ディスプレイ６に表示されている後述するオブジェクトのうち、郵便番号を表示させようとしているユーザにより操作部５に含まれるマウス等を用いて選択されたオブジェクトを示すデータや、その選択の際にマウス等を用いて上記ユーザがディスプレイ６上の活性化指標の一例としてのポインタを移動させた方向を示すデータ、ならびにそのポインタの移動状態を示すデータ等を生成し、これらを選択データとしてネットワークＮＴを介してマップサーバ２００に出力する。なお、パソコン１００においてオブジェクトが選択されることをマップサーバ２００から見た場合、そのオブジェクトが「活性する」こととと見なすことができる。また、オブジェクトが活性しているか否かを、本発明では「活性状態」と称している。更に以下の説明では、上記郵便番号を表示させようとしているパソコン１００の操作者たるユーザを、後述する登録ユーザと区分して「操作ユーザ」と称する。
【００３９】
更にＲＡＭ２は、処理部４による表示動作に必要なデータを一時的に記憶する。更にディスプレイ６は、当該表示動作として後述の図４に例示するマップや郵便番号等を表示する。
【００４０】
一方マップサーバ２００は、図１（ｃ）に示すように、インターフェース１０と、ＲＡＭ１１と、ハードディスク等の不揮発性記憶媒体を含む記憶手段の一例および組合せ記憶手段の一例としての記憶部１２と、ＣＰＵ等からなる生成手段の一例、判定手段の一例、表示手段の一例、移動方向検出手段の一例および料金情報取得手段の一例としての処理部１３と、キーボードおよびマウス等からなる操作部１４と、液晶ディスプレイ等からなるディスプレイ１５と、により構成されている。
【００４１】
この構成においてインターフェース１０は、ネットワークＮＴを介した各パソコン１００や郵便番号サーバ３００またはユーザデータサーバ４００との間のデータの授受を制御する。
【００４２】
記憶部１２には、後ほど図２（ｃ）を用いて説明する組合せデータベースおよび郵便番号関連データならびにユーザ関連データに加えて、実施形態に係る表示動作を処理部１３に実行させるためのプログラムや必要なデータ等が不揮発性に記憶されている。
【００４３】
そして処理部１３は、操作部１４において実行された操作と、パソコン１００や郵便番号サーバ３００等から送信されてくるデータ等と、に基づき、記憶部１２に記憶されている上記プログラム等を読み出して実行することにより、実施形態に係る表示動作を実行する。
【００４４】
この場合にＲＡＭ１１は、処理部１３における当該表示動作に必要なデータを一時的に記憶する。更にディスプレイ１５は、当該表示動作においてマップサーバ２００として必要な情報を表示する。
【００４５】
他方、郵便番号サーバ３００の記憶部（図示省略）には、後ほど図２（ａ）を用いて説明する郵便番号データベース３０１が不揮発性に記憶されている。この郵便番号データベース３０１に含まれるデータは、後述するようにマップサーバ２００の処理部１３からの要求に応じて読み出され、上記記憶部１２に記憶される。更にユーザデータサーバ４００の記憶部（図示省略）には、後ほど図２（ｂ）を用いて説明するユーザデータベース４０１が不揮発性に記憶されている。このユーザデータベース４０１に含まれるデータも、後述するようにマップサーバ２００の処理部１３からの要求に応じて読み出される。
【００４６】
次に、実施形態に係る郵便番号データベース３０１に含まれる各データの細部について、具体的に図２（ａ）を用いて説明する。
【００４７】
実施形態に係る郵便番号データベース３０１には、図２（ａ）に例示するように、日本国内の郵便番号のそれぞれについて、対応する行政区分と、この行政区分の代表地点の地理的位置を緯度および経度で示す情報とが対応付けられて蓄積されている。
【００４８】
すなわち図２（ａ）に例示するように、一つの郵便番号データ３０４に対して、それに対応する行政区分を示す住所データ３０３と、その行政区分の代表地点の地理的位置を緯度および経度で示す緯度／経度データ３０２と、が対応付けられて一つの郵便番号関連データ３０５が形成されている。郵便番号データベース３０１には、この郵便番号関連データ３０５が、日本国内の各郵便番号毎に蓄積されている。なお郵便番号データ３０４として含まれる郵便番号は、通常の七桁全ての郵便番号であってもよいし、行政区分毎の例えば上位三桁のみの郵便番号（図２（ａ）に例示する場合は「２４０」のみの郵便番号）でもよい。また、緯度／経度データ３０２により地理的位置が示される代表地点としては、例えば丁名単位の行政区分であればその丁名で示される地理的領域の中心がその代表地点となり、また市単位の行政区分であれば例えばその市役所の位置がその代表地点となる。
【００４９】
次に、実施形態に係るユーザデータベース４０１に含まれる各データの細部について、具体的に図２（ｂ）を用いて説明する。
【００５０】
実施形態に係るユーザデータベース４０１には、図２（ｂ）に例示するように、実施形態に係るオブジェクトに対応付けられているユーザそれぞれについてのデータがユーザ分だけ蓄積されている。なお以下の説明では、実施形態に係るオブジェクトに対応付けられているユーザを特に「登録ユーザ」と称する。
【００５１】
すなわち図２（ｂ）に例示するように、一人の登録ユーザを一意に識別可能なユーザＩＤ４０２に対して、その登録ユーザの住所を示す住所データ４０３と、その住所に対応する郵便番号を示す郵便番号データ４０４と、が対応付けられて一つのユーザ関連データ４０５が形成されている。ユーザデータベース４０１には、このユーザ関連データ４０５が、各登録ユーザ毎に蓄積されている。
【００５２】
次に、実施形態に係る記憶部１２に記憶されている組合せデータベースの細部について、具体的に図２（ｃ）を用いて説明する。
【００５３】
実施形態に係る組合せデータベース１２０においては、図２（ｃ）に例示するように、郵便番号を表示させようとしているパソコン１００の操作ユーザが相互に混同し易いとして予め設定された複数の行政区分の組合せが、その組合せを識別するための組合せＩＤと共に蓄積されている。
【００５４】
すなわち図２（ｃ）に例示するように、一つの組合せＩＤ１２１に対して、操作ユーザが混同し易い複数の行政区分の組合せを含む組合せデータ１２２が対応付けられて一つの組合せ関連データ１２３が形成されている。組合せデータベース１２０には、この組合せ関連データ１２３が複数蓄積されている。ここで図２（ｃ）に例示する場合、「福島／福井／福岡」を示す組合せデータ１２２を含む組合せ関連データ１２３、「宮城／宮崎」を示す組合せデータ１２２を含む組合せ関連データ１２３および「山梨／山形」を示す組合せデータ１２２を含む組合せ関連データ１２３は、それぞれの行政区分の称呼が相互に類似しているために混同し易いとして組合せデータベース１２０に蓄積された組合せデータである。また、「四国地方／中国地方」を示す組合せデータ１２２を含む組合せ関連データ１２３は、地理的に近いために混同し易いとして組合せデータベース１２０に蓄積された組合せデータである。
【００５５】
なお記憶部１２には、後述する実施形態に係る表示動作により、複数の郵便番号関連データ３０５が郵便番号データベース３０１から読み出されて記憶される。
【００５６】
次に、図１および図２を用いて説明した情報表示システムＳにおいて実施される、実施形態に係る表示動作について、図３ないし図５を用いて具体的に説明する。
【００５７】
実施形態に係る表示動作では、その表示動作により郵便番号を表示させようとしているパソコン１００の操作ユーザが、その郵便番号を表示させるべき住所のメモやデータを手元に有していることを前提とする。そして実施形態に係る表示動作では、そのような操作ユーザを、以下の属性Ａから属性Ｃのように予め区分している。
【００５８】
属性Ａ；表示させる郵便番号の住所とその住所の地理的位置との関係を、概ね把握している操作ユーザ。
【００５９】
属性Ｂ；表示させる郵便番号の住所とその住所の地理的位置との関係を混同して把握している操作ユーザ。例えば、福島と福井と福岡等を相互に混同して把握している操作ユーザ。
【００６０】
属性Ｃ；検索対象となる郵便番号の住所とその住所の地理的位置との関係が判らない操作ユーザ。この属性Ｃに属する操作ユーザは更に、
Ｃタイプ１；当該関係が判らないため、上記ポインタを色々と移動させる操作ユーザ。
Ｃタイプ２；当該関係が判らないため、上記ポインタを移動させずに考え込んでしまう操作ユーザ。
の二通りに区分されている。
【００６１】
そして実施形態に係る表示動作では、上記ユーザの属性を、後述するオブジェクトの選択状態やディスプレイ６上におけるポインタの移動状態により判定し、その判定結果に基づいて郵便番号のディスプレイ６上の表示態様を制御する。
【００６２】
図３に示すように、実施形態に係る表示動作においては、先ずマップサーバ２００の処理部１３は、郵便番号データベース３０１から各郵便番号関連データ３０５を取得し、更にユーザデータベース４０１から各ユーザ関連データ４０５を取得して記憶部１２にそれぞれ記憶させる（ステップＳ１。図２（ｃ）参照）。次に処理部１３は、取得した各郵便番号関連データ３０５およびユーザ関連データ４０５に基づいて、各郵便番号および各登録ユーザそれぞれに対応するドット状のオブジェクトを生成する（ステップＳ２）。このドット状のオブジェクトは、郵便番号と、その郵便番号に応じた地理的位置を少なくとも有している。この地理的位置は、図２（ａ）の緯度／経度データ３０２を示すものとする。またこのオブジェクトには、上記郵便番号および地理的位置のみを有するオブジェクトの他に、上記ユーザ関連データ４０５の各々に対応する登録ユーザを示すオブジェクトが含まれている。この登録ユーザを示すオブジェクトは、上記郵便番号および地理的位置に加えて、上記ユーザ関連データ４０５を有している。
【００６３】
次に処理部１３は、ステップＳ２で生成した各種オブジェクトを用いて、マップを生成する。このマップを構成する各種オブジェクトのオブジェクトデータは、パソコン１００のディスプレイ６に表示されるＷｅｂページ内にそのマップを表示するように、このＷｅｂページのページデータと共にネットワークＮＴを介してパソコン１００に送信される（ステップＳ３）。
【００６４】
これらページデータ等の送信先であるパソコン１００は、実施形態の表示動作により郵便番号を表示させようとしている操作ユーザにより操作されているパソコン１００である。このパソコン１００の処理部４は、インターフェース１を介して上記ページデータ及びオブジェクトデータを受信すると、これらに基づいて上記マップをディスプレイ６に表示する。またマップサーバ２００の処理部１３は、後述するステップＳ５の動作のため、上記ページデータ等をパソコン１００に送信したタイミング（すなわち、マップをパソコン１００のディスプレイ６に表示したタイミング）から、図示しないタイマによる経時を開始する。
【００６５】
ここで、実施形態に係るオブジェクトを用いてディスプレイ６に表示されるマップについて、神奈川県を例として具体的に図４（ａ）を用いて説明する。
【００６６】
神奈川県に対応する実施形態のマップＭは、図４（ａ）に例示するように、神奈川県内で用いられる郵便番号に対応付けられた地理的位置（すなわち、対応する緯度／経度データ３０２により示される地理的位置）に相当するマップＭ内の位置に、その地理的位置と対応する郵便番号とを有するオブジェクトＤが配置されて構成されている。このオブジェクトＤには、上述したように郵便番号および地理的位置のみを有するオブジェクトＤと、当該郵便番号および地理的位置に加えて上記ユーザ関連データ４０５のユーザＩＤ４０２や住所データ４０３を有するオブジェクトＤとがある。
【００６７】
これにより、神奈川県内で用いられる郵便番号毎にオブジェクトＤが表示されるので、結果として、図４（ａ）に例示するように神奈川県の輪郭を示すマップＭが表示されることとなる。このマップＭでは、人口密度が高い領域ではオブジェクトＤが密集して表示されることになる。なお図４（ａ）では、理解を容易にするために神奈川県の輪郭線を点線で示しているが、実際のマップＭとしてはこの輪郭線は表示されない。そして、各オブジェクトＤのいずれかをポインタＰを用いて操作部５により選択することにより、後述するようにその選択されたオブジェクトＤが有する地理的位置に対応付けられた郵便番号や住所等が表示されるのである。またマップＭを表示しているパソコン１００の処理部４は、ポインタＰにより選択されたオブジェクトＤおよびポインタＰについての上記選択データを、ネットワークＮＴを介してマップサーバ２００に送信する。なお、図４（ａ）に例示するマップＭは、オブジェクトＤのみが含まれているのであって地物の名称や道路等が表示されるものではないため、厳密には「マップ（地図）」ではなくマップ状図形と呼ばれるべきものであるが、実施形態の説明では、理解の容易に資するべく単に「マップ」と称する。
【００６８】
図３に戻って、上記ページデータおよびオブジェクトデータを送信した（ステップＳ３）マップサーバ２００の処理部１３は、次にパソコン１００から上記選択データを受信する（ステップＳ４）。次に処理部１３は、受信した選択データにより示されるポインタＰの状態および上記タイマによる経時内容に基づき、マップＭをディスプレイ６に表示したタイミング（換言すれば、上記オブジェクトデータ等を送信したタイミング）から予め設定された所定時間が経過する間に、ポインタＰが継続して静止しているか否かを確認する（ステップＳ５）。なお以下の説明では、上記予め設定された所定時間を表示後所定時間と称する。
【００６９】
ステップＳ５の確認において、マップＭをディスプレイ６に表示したタイミングから上記表示後所定時間が経過する間にポインタＰが継続して静止している場合（ステップＳ５；ＹＥＳ）、処理部１３は、その時にパソコン１００を操作している操作ユーザが上記属性Ｃタイプ２に区分される操作ユーザであると判断し、後述するステップＳ６に移行する。
【００７０】
すなわち処理部１３は、そのときのパソコン１００の操作ユーザが、検索対象となる郵便番号の住所とその住所の地理的位置との関係が判らないため、マップＭを表示後もポインタＰを移動させずに考え込んでしまっている操作ユーザであるとして、ステップＳ６の動作を実行する。
【００７１】
具体的に処理部１３は、ステップＳ６の動作の第一例として、先ずユーザデータベース４０１を参照して各登録ユーザの住所データ４０３および郵便番号データ４０４を読み出す。次に処理部１３は、その読み出した住所データ４０３に対応する住所および郵便番号データ４０４に対応する郵便番号をパソコン１００のディスプレイ６にそれぞれ表示すべく、当該住所データ４０３および郵便番号データ４０４をそのパソコン１００に送信してディスプレイ６に表示させる（ステップＳ６）。
【００７２】
一方、ステップＳ６の動作の第二例として処理部１３は、郵便番号データベース３０１を参照して全国の郵便番号データ３０４を読み出し、その後当該読み出した郵便番号データ３０４をパソコン１００に送信して全国の郵便番号をディスプレイ６に表示させる（ステップＳ６）。
【００７３】
このステップＳ６の動作としての二つの例は、いずれか一方又は双方を実行するように構成することができる。なお、上記ステップＳ５の確認に係る上記表示後所定時間としては、例えばマップＭをディスプレイ６に表示したタイミングから起算してＮ秒とされる。この表示後所定時間としての秒数は、例えば経験的または実験的に予め設定されるものである。その後処理部１３は、後述するステップＳ１４の動作に移行する。
【００７４】
次に上記ステップＳ５の確認において、マップＭをディスプレイ６に表示したタイミングから上記表示後所定時間が経過する前にポインタＰが移動された場合（ステップＳ５；ＮＯ）について説明する。
【００７５】
先ず処理部１３は、受信した選択データにより示されるポインタＰの状態および上記タイマによるポインタＰの移動までの経時内容に基づき、マップＭ上におけるポインタＰの移動により選択されたオブジェクトＤの数が予め設定された所定数以下であるか、または、一つのオブジェクトＤがポインタＰの移動により選択されている時間が予め設定された所定時間以上であるか否かを確認する（ステップＳ７）。なお以下の説明では、ステップＳ７に係る当該所定時間を、上記表示後所定時間と区別して選択所定時間と称する。
【００７６】
ステップＳ７の確認において、選択されたオブジェクトＤの数が所定数以下であるか、またはオブジェクトＤが選択されている時間が選択所定時間以上である場合（ステップＳ７；ＹＥＳ）、処理部１３は、その時にパソコン１００の操作ユーザが上記属性Ａに区分される操作ユーザであると判断し、後述するステップＳ１２に移行する。
【００７７】
処理部１３は、そのときのパソコン１００の操作ユーザが、表示させるべき郵便番号の住所と地理的位置との関係を概ね把握しているため、上記ステップＳ７で説明したようにオブジェクトＤの選択のためのポインタＰの移動状態が固定的であるとして、ステップＳ１２の動作を実行する。具体的に処理部１３は、ステップＳ１２の動作として、その選択されているオブジェクトＤが有する地理的位置に対応付けられている郵便番号の地域をディスプレイ６において拡大表示させる（ステップＳ１２）。
【００７８】
次に処理部１３は、上記ステップＳ１の動作により記憶部１２に取得済みの郵便番号関連データ３０５を参照して、その拡大表示されている地域に対応付けられている郵便番号および住所を表示させる（ステップＳ１３）。なおこのとき、ステップＳ７の確認対象であるオブジェクトＤが登録ユーザを示すオブジェクトＤであった場合、処理部１３は、上記ステップＳ１の動作により記憶部１２に取得済みのその登録ユーザに係るユーザ関連データ４０５に基づき、その登録ユーザの郵便番号および住所ならびにユーザＩＤを表示させる。
【００７９】
このステップＳ１２およびＳ１３の動作により、例えば図４（ｂ）に例示するように、拡大された地域内のオブジェクトＤに対応する郵便番号および住所を含む表示５０がディスプレイ６に表示される。これにより、当該表示５０を視認したパソコン１００の操作ユーザ（上記属性Ａに区分される操作ユーザ）は、手元にある住所と表示５０内に表示されている住所とを比較し、その住所に対応する郵便番号を認識することができる。
【００８０】
なお、ステップＳ７の確認に係る上記所定数としては、例えば選択されたオブジェクトＤが含まれているマップＭ上の領域におけるオブジェクトＤの密度等に基づき、例えば経験的または実験的に予め設定された数が用いられる。またステップＳ７の確認に係る上記選択所定時間としては、例えば上記表示後所定時間より短いＭ秒とされる。この選択所定時間も、例えば経験的または実験的に予め設定されるものである。
【００８１】
なお処理部１３は、上記ステップＳ１２の動作を実行せずにステップＳ１３の動作に移行するように構成することもできる。更に上記ステップＳ１２の動作において、郵便番号の末尾のみが異なる他の地理的位置の住所を、その末尾のみが異なる郵便番号と共に併せて表示させてもよい。その後処理部１３は、後述するステップＳ１４の動作に移行する。
【００８２】
他方、上記ステップＳ７の確認において、選択されたオブジェクトＤの数が上記所定数より多いか、またはオブジェクトＤが選択されている時間が選択所定時間未満である場合（ステップＳ７；ＮＯ）、処理部１３は次に、記憶部１２内の組合せデータベース１２０を参照する（ステップＳ８）。そして処理部１３は、上記ステップＳ７の確認対象であるオブジェクトＤが有する地理的位置が属する行政区分が、組合せデータベース１２０内に蓄積されている組合せデータ１２２のいずれかに含まれている行政区分であるか否かを確認する（ステップＳ９）。ステップＳ９の確認において、当該オブジェクトＤが有する地理的位置が属する行政区分が、組合せデータベース１２０内に蓄積されている組合せデータ１２２のいずれかに含まれている行政区分である場合（ステップＳ９；ＹＥＳ）、処理部１３は、その時のパソコン１００の操作ユーザが上記属性Ｂに区分される操作ユーザであると判断し、後述するステップＳ１１の動作に移行する。
【００８３】
すなわち処理部１３は、そのときのパソコン１００の操作ユーザが、表示させる郵便番号の住所とその住所の地理的位置との関係を混同して把握している操作ユーザであると判断し、ステップＳ１１の動作を実行する。
【００８４】
具体的に処理部１３は、ステップＳ１１の動作として、上記ステップＳ１の動作により記憶部１２に取得済みの郵便番号関連データ３０５を参照して、ステップＳ９の確認対象である行政区分が含まれている組合せデータ１２２に含まれている他の行政区分の代表地点の郵便番号および住所をディスプレイ６に表示させる（ステップＳ１１）。その後処理部１３は、上記ステップＳ４の動作に移行する。
【００８５】
最後に、上記ステップＳ９の確認において、上記ステップＳ７の確認対象であるオブジェクトＤが有する地理的位置が属する行政区分が、組合せデータベース１２０内に蓄積されている組合せデータ１２２のいずれにも含まれていない行政区分である場合（ステップＳ９；ＮＯ）、処理部１３は、その時にパソコン１００を操作している操作ユーザが上記属性Ｃタイプ１に区分されるユーザであると判断し、後述するステップＳ１０に移行する。
【００８６】
すなわち処理部１３は、そのときのパソコン１００の操作ユーザが、検索対象となる郵便番号の住所とその住所の地理的位置との関係が判らないため、上記ポインタＰを色々と移動させた結果、上記ステップＳ７における確認結果が「ステップＳ７；ＮＯ」となったと判断し、ステップＳ１０の動作を実行する。
【００８７】
次にこのステップＳ１０の動作について、図５を用いて説明する。
【００８８】
先ず、マップＭ上においてパソコン１００の操作ユーザ（属性Ｃタイプ１に区分される操作ユーザ）によりポインタＰが図５（ａ）に例示するように移動された結果、上記ステップＳ７における確認結果が「ステップＳ７；ＮＯ」とされたとする。
【００８９】
この場合、ステップＳ１０の動作として処理部１３は、ステップＳ４の動作により受信されている選択データにより示されるポインタＰの移動方向に基づき、図５（ｂ）に例示するように、その移動方向にあるオブジェクトＤが有する地理的位置が含まれる表示領域Ａ１の代表地点の郵便番号および住所と、その移動方向と反対方向にあるオブジェクトＤが有する地理的位置が含まれる表示領域Ａ２の代表地点の郵便番号および住所と、を、現在選択されているオブジェクトＤが有する地理的位置に対応付けられた郵便番号および住所と共に、ディスプレイ６に表示させる（ステップＳ１０）。
【００９０】
このステップＳ１０の動作は、上記ステップＳ１の動作により記憶部１２に取得済みの郵便番号関連データ３０５およびユーザ関連データ４０５を参照して実行される。なお、表示領域Ａ１の代表地点の郵便番号および住所、表示領域Ａ２の代表地点の郵便番号および住所の、いずれか一方のみを表示させてもよい。更に表示領域Ａ２については、ポインタＰの移動方向と反対方向にあるオブジェクトＤが有する地理的位置に限らず、その移動方向には含まれない方向にあるオブジェクトＤが有する地理的位置が含まれる表示領域であればよい。その後処理部１３は、上記ステップＳ４の受信動作に移行する。
【００９１】
次に処理部１３は、マップサーバ２００の電源がオフとされたか否かを確認する（ステップＳ１４）。ステップＳ１４の確認において、マップサーバ２００の電源がオフとされない場合（ステップＳ１４；ＮＯ）、処理部１３は上記ステップＳ４の受信動作に移行する。一方、ステップＳ１４の確認において、マップサーバ２００の電源がオフとされた場合（ステップＳ１４；ＹＥＳ）、処理部１３は、実施形態に係る表示動作を終了する。
【００９２】
以上説明したように、実施形態に係る情報表示システムＳの動作によれば、マップＭを形成するオブジェクトＤの選択状態を判定し、その選択状態に応じてそのオブジェクトＤに関連する郵便番号を表示するので、パソコン１００の操作ユーザがオブジェクトＤを選択するだけで、当該オブジェクトＤに対応付けられている郵便番号を認識することができる。
【００９３】
また、マップＭがディスプレイ６に表示されたタイミングから表示後所定時間が経過する間にポインタＰの移動がされないとき、登録ユーザの住所およびそれに対応する郵便番号をディスプレイ６に表示させるか、または全国の郵便番号をディスプレイ６に表示させる。よって、表示させようとする郵便番号とマップ上の地理的位置との関係が理解できずにオブジェクトＤの選択ができないと推測される操作ユーザに対しても、関連するものと推測される郵便番号を認識させることができる。
【００９４】
更に、選択されているオブジェクトＤの数が所定数以下であること、またはオブジェクトＤが選択所定時間以上選択されていること、のいずれか一方が判定されたとき、選択されたオブジェクトＤが有する地理的位置が含まれるマップＭの領域を拡大表示させると共に、その地理的位置に対応する郵便番号をディスプレイ６に表示させる。よって、表示させようとする郵便番号とマップ上の地理的位置との関係をよく理解していると推測されるユーザに対して、対応する郵便番号をより詳細に且つ的確に認識させることができる。
【００９５】
更にまた、組合せデータ１２２として記憶されているいずれかの行政区分内の地理的位置を有するオブジェクトＤが選択されているとき、選択されたオブジェクトＤに相当する行政区分が含まれている組合せデータ１２２に含まれている他の行政区分に対応する郵便番号および住所をディスプレイ６に表示させる。よって、他の行政区分と間違い易い行政区分であっても迅速且つ的確に郵便番号を認識することができる。
【００９６】
また、選択されているオブジェクトＤの数が所定数より多いこと、または同一のオブジェクトが選択されている時間が選択所定時間未満であること、のいずれか一方が判定されたとき、選択されたオブジェクトＤから見てポインタＰの移動方向に表示されている他のオブジェクトＤが有する地理的位置に対応する郵便番号をディスプレイ６に表示させる。更に同様に、選択されているオブジェクトＤの数が所定数より多いこと、または同一のオブジェクトが選択されている時間が選択所定時間未満であること、のいずれか一方が判定されたとき、選択されたオブジェクトＤから見てポインタＰの移動方向と反対方向に表示されている他のオブジェクトＤが有する地理的位置に対応する郵便番号をディスプレイ６に表示させる。よって、操作ユーザの選択動作に対応する郵便番号を的確に認識させることができる。
【００９７】
なお、上述した実施形態では、上記ステップＳ１０の動作を実行するか否かを判断するに当たって上記ステップＳ７の基準をそのまま用いたが、これ以外に、ステップＳ１０の動作を実行するか否かを判断に当たって用いられるオブジェクトＤの数の基準およびオブジェクトＤの選択時間の基準を、上記ステップＳ７の基準と異なる基準を用いてもよい。この場合、当該異なる基準もまた、例えば経験的または実験的に予め設定されるのが好適である。またステップＳ１０の基準に、ポインタＰの移動距離を加えてもよい。
【００９８】
更に、上述してきた実施形態に係る表示動作をインターネット等を介した物品等の売買に活用する場合、例えば以下のような活用シーンが考えられる。
【００９９】
すなわち、例えば操作ユーザが種々の会員登録を行う際において、その郵便番号や住所を入力する必要が生じた場合に、実施形態に係る表示動作を活用することができる。
【０１００】
また、実施形態に係る郵便番号と共に、その郵便番号に対応付けられた郵便料金や宅配便の配送料金をディスプレイ６に表示するように構成する場合において、実施形態に係る表示動作を活用することができる。この場合は、郵便番号に対応付けられた郵便料金等を示す料金データを別途取得し、それに基づいて郵便番号と共に郵便料金等を表示するように構成すればよい。より具体的に例えば、先ずユーザの住所と郵便番号とがいわゆるログイン動作等により予め判明している場合において、操作部５の操作に基づいて実施形態の表示動作により検索対象たる郵便番号を表示する。次に、その郵便番号の脇に、例えば８０円切手分の郵送料金等を表示するように構成する。この場合には、その８０円切手分の郵送料金等により郵便を配達可能な地域のみを認識できることになる。なおこの表示対象となる郵便料金等は、ユーザによる所定の操作により、予め設定されている選択肢（重さ、指定郵便、書留郵便等の選択肢）に基づいて選択可能とするのが好適である。このような郵便料金等を併せて表示する場合には、郵便番号と共に対応する郵便料金等が表示されるので、郵便番号を認識したユーザの利便性を更に向上させることができる。そして、この表示されている郵便料金等を参照して、例えば配送領域が易い地域を物品等の購入先として選択する等の活用シーンが考えられる。
【０１０１】
更に、上記住所データ３０３または上記住所データ４０３に予め電話番号データを対応付けておき、その電話番号データを参照して、物品購入先を例えば店舗のジャンル別に表示させるような活用シーンも考えられる。
【０１０２】
更にまた、上記ユーザ関連データ４０５のユーザＩＤ４０２に対してその登録ユーザが開設しているホームページへのリンク情報を対応させて記憶させておいてもよい。この場合、この登録ユーザに対応付けられているオブジェクトＤが選択されたら、自動的にまたは所定の操作後にそのホームページを表示するように構成することができる。この場合は、オブジェクトＤに対してある種の広告媒体的な機能を備えさせることになる。
【０１０３】
（II）変形形態
次に、本発明に係る変形形態について説明する。
【０１０４】
上述した実施形態では、ユーザの手元にある住所に基づいて郵便番号を検索して表示させる表示動作について説明したが、これ以外に、ユーザの手元にある郵便番号から住所を検索する場合に本発明を適用することも可能である。
【０１０５】
より具体的には、先ず、予めディスプレイ６のマップ上に郵便番号の後半の最初の三桁と対応する代表の住所を表示する。具体的には、例えば郵便番号「２６４−００１×」とその代表住所、郵便番号「２６４−００２×」とその代表住所および郵便番号「２６４−００３×」とその代表住所を、それぞれ表示する。そして、この郵便番号自体が選択されたら、実施形態に係るステップＳ４以降の動作（図３参照）を実行するように構成することができる。
【０１０６】
更に、図３に示したフローチャートにより示される処理に対応するプログラムを、例えばフレキシブルディスク等の記憶媒体に記憶しておき、又はネットワークＮＴを介して取得して記憶しておき、それらを汎用の例えばマイクロコンピュータ等により読み出して実行することにより、当該マイクロコンピュータ等を実施形態に係るマップサーバ２００の処理部１３として機能させることもできる。
【産業上の利用可能性】
【０１０７】
以上説明したように、本発明はネットワークＮＴを介して接続されたパソコン１００とマップサーバ２００等とにより実行される表示動作の分野に利用することが可能であり、特にパソコン１００の種々のユーザが郵便番号を検索して表示させる表示動作の分野に適用すれば特に顕著な効果が得られる。
【符号の説明】
【０１０８】
１、１０    インターフェース
２、１１    ＲＡＭ
３、１２    ＲＯＭ
４、１３    処理部
５、１４    操作部
６、１５    ディスプレイ
１２    記憶部
５０    表示
１００    パソコン
１２０    組合せデータベース
１２１    組合せＩＤ
１２２    組合せデータ
１２３    組合せ関連データ
２００    マップサーバ
３００    郵便番号サーバ
３０１    郵便番号データベース
３０２    緯度／経度データ
３０３、４０３    住所データ
３０４、４０４    郵便番号データ
３０５    郵便番号関連データ
４００    ユーザデータサーバ
４０１    ユーザデータベース
４０２    ユーザＩＤ
４０５    ユーザ関連データ
Ｓ    情報表示システム
ＮＴ    ネットワーク
Ｄ    オブジェクト
Ｍ    マップ
Ｐ    ポインタ
Ａ１、Ａ２    表示領域
【図１】
2011180709.tif 000003
【図２】
2011180709.tif 000004
【図３】
2011180709.tif 000005
【図４】
2011180709.tif 000006
【図５】
2011180709.tif 000007